(57)【要約】【課題】梱包された状態で積み上げられても、緩衝部材に筐体の一部が食い込まないため、開梱作業性を損ねない空気調和機の室内機を提供することを目的としている。【解決手段】筐体５の短手方向に沿って突出して設けられ、先端部５ａ’が背面視して線形状の意匠側面リブ部５ａと、筐体の短手方向に沿って突出して設けられ、先端部５ｄ’が背面視して略長方形状の意匠側面平面部５ｄと、を有し、筐体５の側面に梱包用の緩衝部材４を装着した際、意匠側面リブ部５ａの先端部５ａ’及び意匠側面平面部５ｄの先端部５ｄ’は、緩衝部材４の意匠側面リブ部５ａの先端部５ａ’と対向する内壁４ａにどちらも接触する。【選択図】図６
2014114059.tif 000002
【特許請求の範囲】
【請求項１】
筐体の少なくとも一方の側面側に、
前記筐体の短手方向に沿って突出して設けられ、先端部が背面視して線形状の意匠側面リブ部と、
前記筐体の短手方向に沿って突出して設けられ、先端部が背面視して略長方形状の意匠側面平面部と、を有し、
前記筐体の前記側面に梱包用の緩衝部材を装着した際、
前記意匠側面リブ部の前記先端部及び前記意匠側面平面部の前記先端部は、
前記緩衝部材の前記意匠側面リブ部の前記先端部と対向する内壁にどちらも接触する
ことを特徴とする空気調和機の室内機。
【請求項２】
前記意匠側面平面部の前記先端部は、
前記意匠側面リブ部の前記先端部と略平行に突出して設けられている
ことを特徴とする請求項１に記載の空気調和機の室内機。
【請求項３】
前記筐体は、
両側面側に前記意匠側面リブ部と、前記意匠側面平面部と、を有する
ことを特徴とする請求項１または２に記載の空気調和機の室内機。
【発明の詳細な説明】
【技術分野】
【０００１】
本発明は、空気調和機の室内機に関するものであり、特に筐体側面側の構造に関する。
【背景技術】
【０００２】
従来の空気調和機の室内機において、出荷時や輸送時などに生じる振動、衝撃、荷重による負荷が室内機に伝達しないように発泡スチロールなどからなる緩衝部材が装着されている。そして、この緩衝部材が装着された室内機は段ボール箱などに梱包されて出荷される（特許文献１及び２参照）。
【０００３】
以下、図７〜図１５に基づいて従来の空気調和機の室内機における梱包状態について説明する。
図７は、従来の空気調和機の室内機における室内機梱包状態全体の一例を示す斜視図、図８は、従来の空気調和機の室内機における室内機梱包状態全体の一例を示す分解斜視図、図９は、従来の空気調和機の室内機における筐体を示す正面斜視図、図１０は、従来の空気調和機の室内機における筐体を示す背面斜視図、図１１は、図９における筐体のＤ−Ｄ断面図、図１２は、従来の空気調和機の室内機における室内機梱包状態全体を示す背面斜視図、図１３は、図１２における筐体のＥ−Ｅ断面図、図１４は、図１３における筐体のＦ部分詳細図、図１５は、図１３における筐体のＧ部分詳細図である。
空気調和機の室内機１は、図７及び図８に示すように両側面に発泡スチロールなどの緩衝部材４が装着され、その状態で段ボール箱２内に収納され、外側をバンド３で囲われて梱包される。そして、梱包された空気調和機の室内機１は通常、倉庫などに複数段に積み上げられて保管される。
【先行技術文献】
【特許文献】
【０００４】
【特許文献１】特開２００９−１１３８４５号公報（たとえば、［０００２］、図３参照）
【特許文献２】特開２００８−１５００６８号公報（たとえば、［０００２］、図１参照）
【発明の概要】
【発明が解決しようとする課題】
【０００５】
特許文献１及び２に記載されたような空気調和機の室内機１において、図９〜図１１に示すような室内機１の筐体５の少なくとも一側面側に突起形状の意匠側面リブ部５ａを有する場合、室内機１を梱包して複数段に積み上げたときに、以下のような課題が生じる。
【０００６】
室内機１を積み上げると、下方に位置するにつれて室内機１は図１３〜図１５の矢印の指す方向に荷重がかかる。このとき室内機１の一側面側において、緩衝部材４の荷重方向に対向する面と接触している箇所は、意匠側面リブ５ａのみである。そのため、その接触箇所に荷重が集中してかかり、積み上げられる数が増えて荷重が増えると緩衝部材４に意匠側面リブ５ａの先端部が食い込んでしまう可能性がある。その結果、開梱するときに室内機１から緩衝部材４を取り外しづらくなり、開梱作業性を損ねるという課題があった。
【０００７】
本発明は、以上のような課題を解決するためになされたもので、梱包された状態で積み上げられても、緩衝部材に筐体の一部が食い込まないため、開梱作業性を損ねない空気調和機の室内機を提供することを目的としている。
【課題を解決するための手段】
【０００８】
本発明に係る空気調和機の室内機は、筐体の少なくとも一方の側面側に、前記筐体の短手方向に沿って突出して設けられ、先端部が背面視して線形状の意匠側面リブ部と、前記筐体の短手方向に沿って突出して設けられ、先端部が背面視して略長方形状の意匠側面平面部と、を有し、前記筐体の前記側面に梱包用の緩衝部材を装着した際、前記意匠側面リブ部の前記先端部及び前記意匠側面平面部の前記先端部は、前記緩衝部材の前記意匠側面リブ部の前記先端部と対向する内壁にどちらも接触するものである。
【発明の効果】
【０００９】
本発明に係る空気調和機の室内機によれば、梱包された状態で積み上げられても、緩衝部材に筐体の一部が食い込まないため、開梱作業性を損ねない。
【図面の簡単な説明】
【００１０】
【図１】本発明の実施の形態に係る空気調和機の室内機における筐体を示す正面斜視図である。
【図２】本発明の実施の形態に係る空気調和機の室内機における筐体を示す背面斜視図である。
【図３】図１における筐体のＡ−Ａ断面図である。
【図４】本発明の実施の形態に係る空気調和機の室内機における室内機梱包状態全体を示す背面斜視図である。
【図５】図４における筐体のＢ−Ｂ断面図である。
【図６】図５における筐体のＣ部分詳細図である。
【図７】従来の空気調和機の室内機における室内機梱包状態全体の一例を示す斜視図である。
【図８】従来の空気調和機の室内機における室内機梱包状態全体の一例を示す分解斜視図である。
【図９】従来の空気調和機の室内機における筐体を示す正面斜視図である。
【図１０】従来の空気調和機の室内機における筐体を示す背面斜視図である。
【図１１】図９における筐体のＤ−Ｄ断面図である。
【図１２】従来の空気調和機の室内機における室内機梱包状態全体を示す背面斜視図である。
【図１３】図１２における筐体のＥ−Ｅ断面図である。
【図１４】図１３における筐体のＦ部分詳細図である。
【図１５】図１３における筐体のＧ部分詳細図である。
【発明を実施するための形態】
【００１１】
以下、本発明の実施の形態を図面に基づいて説明する。
実施の形態１．
図１は、本発明の実施の形態に係る空気調和機の室内機における筐体を示す正面斜視図、図２は、本発明の実施の形態に係る空気調和機の室内機における筐体を示す背面斜視図、図３は、図１における筐体のＡ−Ａ断面図、図４は、本発明の実施の形態に係る空気調和機の室内機における室内機梱包状態全体を示す背面斜視図である。
本実施の形態に係る空気調和機の室内機１は、筐体５と、筐体５の正面に取り付けられた意匠パネル７と、後面に取り付けられた据付板６と、により外観を構成しており、室内機１は壁などに据付板６で固定できるようになっている。また、室内機１を正面視して筐体５の右側面側（以下、電気品箱収納側と称す）には電気品箱収納部５ｂが、左側面側（以下、意匠側面側と称す）には意匠側面リブ部５ａがそれぞれ設けられている。
【００１２】
筐体５の内部には図示省略の熱交換器、送風ファンなどの機械類が備えられており、熱交換器により熱交換された空気を、送風ファンが筐体５の正面の下部に設けられた図示省略の吹出口から室内に送出する。
【００１３】
筐体５において、電気品箱収納側には電気品箱が収納される。そのため、電気品箱の外形に沿った箱形状の電気品箱収納部５ｂが設けられている。その電気品箱収納部５ｂは、筐体５の短手方向に沿って先端部が背面視して略長方形に形成されている。
【００１４】
筐体５において、意匠側面側には熱交換器を保持するための熱交換器保持部５ｃが形成される。そのため、金型強度及び成型性を考慮して突起形状を有する意匠側面リブ部５ａが設けられている。その意匠側面リブ部５ａは、筐体５の短手方向に沿って先端部５ａ’が背面視して線形状に突出して設けられている。
また、意匠側面リブ部５ａの近傍には、図３に示すように意匠側面平面部５ｄが設けられている。その意匠側面平面部５ｄは、筐体５の短手方向に沿って先端部５ｄ’が背面視して略長方形状に突出して設けられており、その先端部５ｄ’は意匠側面リブ部５ａの先端部５ａ’と背面視して略平行に、かつ、同じ位置まで突出して設けられている。
【００１５】
図５は、図４における筐体のＢ−Ｂ断面図、図６は、図５における筐体のＣ部分詳細図である。
本実施の形態に係る空気調和機の室内機１は、梱包時に図４に示すように両側面に発泡スチロールなどの緩衝部材４が装着される。この緩衝部材４は室内機１の側面に装着され、側面側の一部を覆うため、図８に示すように室内機１の側面の形状に合わせて凹んだ形状を有しており、その形状の内壁が形成されている。
【００１６】
その緩衝部材４を室内機１の意匠側面側の側面に装着した際、意匠側面リブ部５ａ及び意匠側面平面部５ｄは、図５及び図６に示すように緩衝部材４の意匠側面リブ部５ａの先端部５ａ’と対向する内壁４ａに、それら先端部５ａ’及び５ｄ’がどちらも接触する位置に設けられている。そして、その状態で図示省略の段ボール箱内に収納され、外側を図示省略のバンド３で囲われて梱包される。
【００１７】
梱包された空気調和機の室内機１は通常、倉庫などに複数段に積み上げられて保管される。このとき、室内機１は図５及び図６の矢印の指す方向に荷重がかかるように積み上げられる。つまり、室内機１の正面が上側、背面が下側となるように積み上げられる。その際、室内機１が積み上げられていくにつれて、下方に位置する室内機１ほど緩衝部材４の内壁４ａと、意匠側面リブ部５ａの先端部５ａ’及び意匠側面平面部５ｄの先端部５ｄ’との接触箇所にかかる荷重が大きくなる。
【００１８】
このとき、緩衝部材４の内壁４ａと接触している箇所が意匠側面リブ部５ａの先端部５ａ’のみだとその接触箇所に荷重が集中してかかるため、下方に位置する室内機１ほど緩衝部材４に意匠側面リブ５ａの先端部５ａ’が食い込んでしまっていた。
【００１９】
しかし、本実施の形態では意匠側面リブ部５ａの先端部５ａ’の他に意匠側面平面部５ｄの先端部５ｄ’も緩衝部材４に接触しているため、接触箇所にかかる荷重を分散させることができ、下方に位置する室内機１でも緩衝部材４に意匠側面リブ５ａの先端部５ａ’が食い込むのを抑制することができる。また、輸送時などにおいて、その接触箇所に荷重の他に振動、衝撃が加わった場合においても、接触箇所にかかるそれら負荷を分散させることができる。
【００２０】
以上より、筐体５の意匠側面側において、意匠側面リブ部５ａの他に意匠側面平面部５ｄを設けることにより、室内機１の梱包時に装着された緩衝部材４の内壁４ａと接触する面積を大きくできる。そのため、出荷時や輸送時などに生じる振動、衝撃、荷重による負荷を接触箇所において分散させることができ、緩衝部材４に意匠側面リブ５ａの先端部５ａ’が食い込むのを抑制することができる。
それにより、開梱するときに緩衝部材４を室内機１からスムーズに取り外せ、開梱作業性を損ねずに済む。
【００２１】
また、本実施の形態では筐体５の電気品箱収納側には、先端部が略長方形の電気品箱収納部５ｂが設けられているので、電気品箱収納側は緩衝部材４に電気品箱収納部５ｂの先端部が食い込みづらくなっている。そのため、筐体５の意匠側面側に意匠側面リブ部５ａしか設けられていないと、意匠側面側だけ緩衝部材４に意匠側面リブ５ａの先端部５ａ’が食い込み、沈んでしまう。それによって、室内機１が複数段に積み上げられていた場合、その段積み状態が傾いて荷崩れを起こしてしまっていた。
【００２２】
しかし、意匠側面側に意匠側面平面部５ｄを設けることによって、段積み状態が傾いて荷崩れを起こすことを抑制することができる。
【００２３】
なお、本実施の形態では、筐体５の一側面側のみに意匠側面リブ部５ａが設けられている場合について説明したが、筐体５の両側面側に意匠側面リブ部５ａが設けられている場合についても本発明を適用できる。
【００２４】
また、意匠側面平面部５ｄの先端部５ｄ’の略長方形状の面積は、大きいほど振動、衝撃、荷重による負荷を分散されることができる。
【符号の説明】
【００２５】
１  室内機、２  段ボール、３  バンド、４  緩衝部材、４ａ  内壁、５  筐体、５ａ  意匠側面リブ部、５ａ’  先端部、５ｂ  電気品箱収納部、５ｃ  熱交換器保持部、５ｄ  意匠側面平面部、５ｄ’  先端部、６  据付板、７  意匠パネル。
【図１】
2014114059.tif 000003
【図２】
2014114059.tif 000004
【図３】
2014114059.tif 000005
【図４】
2014114059.tif 000006
【図５】
2014114059.tif 000007
【図６】
2014114059.tif 000008
【図７】
2014114059.tif 000009
【図８】
2014114059.tif 000010
【図９】
2014114059.tif 000011
【図１０】
2014114059.tif 000012
【図１１】
2014114059.tif 000013
【図１２】
2014114059.tif 000014
【図１３】
2014114059.tif 000015
【図１４】
2014114059.tif 000016
【図１５】
2014114059.tif 000017